(57)【要約】【課題】  自動販売機の扉体を閉鎖状態に拘束保持する補助ロック装置のこじ開けや破壊を簡単な構成により防止し、自動販売機の扉体の不法な開放や破壊をより確実に防止できるようにする。【解決手段】  自動販売機本体１に固定されるベース体６の一端に回転軸８を介して回転可能に遮蔽体７を取り付け、遮蔽体７の先端部に係合爪１２を設け、扉体２の前面に係合爪１２と係合するリング体５を設け、遮蔽体７を扉体２の前面に沿ってスライド移動可能とし、扉体２を閉鎖して、扉施錠手段３により扉体２を施錠した状態で、遮蔽体７を扉体２に略当接するまで回転させて鍵穴４を覆い、次いで、遮蔽体７をスライド移動させて係合爪１２を扉体２のリング体５に係合させ、固定錠に鍵を差し込んで施錠し、遮蔽体７の回転動作とスライド動作を共に施錠固定するよう補助ロック装置を構成する。【選択図】        図２
2005256358.tif 000002
【特許請求の範囲】
【請求項１】
自動販売機本体に開閉可能に設けられた扉体を該扉体の閉鎖状態において前方から拘束保持する自動販売機の補助ロック装置であって、前記自動販売機本体に固定されるベース体と、該ベース体の一端に回転可能に取り付けられ、回転動作により閉鎖状態の前記扉体の前面に近接し該扉体を前方から拘束保持する所定位置に移動可能な遮蔽体と、該遮蔽体が前記所定位置に移動した状態で該遮蔽体の回転動作を錠止固定可能な施錠手段と、前記遮蔽体に設けられた係合部と、前記扉体の前面に設けられ、前記遮蔽体が前記所定位置に移動した状態で該遮蔽体の前記係合部を係合固定可能な被係合部を備えることを特徴とする自動販売機の補助ロック装置。
【請求項２】
前記遮蔽体は、前記所定位置に移動した状態で、施錠により前記扉体を前記自動販売機本体に対し閉鎖状態に保持固定する扉施錠手段の鍵穴を覆い隠すことを特徴とする請求項１に記載される自動販売機の補助ロック装置。
【請求項３】
前記遮蔽体は、前記所定位置に移動した状態で該扉体の前面に沿って移動可能に設けられ、前記遮蔽体を前記所定位置に移動した状態で該扉体の前面に沿って移動させることにより、前記係合部が前記被係合部と係合し、前記遮蔽体と前記扉体とが係合固定されることを特徴とする請求項１または請求項２に記載の自動販売機の補助ロック装置。
【発明の詳細な説明】
【技術分野】
【０００１】
本発明は、自動販売機の扉体の不法な開放や破壊による盗難を防止するために扉体を閉鎖状態に拘束保持する補助ロック装置に関する。
【背景技術】
【０００２】
自動販売機の防盗装置として、自動販売機の本体側面に取付固定されるベース体と、該ベース体に一端に回転可能に取り付けられる遮蔽体と、遮蔽体が扉体の前面に当接した状態で、扉体を施錠して閉鎖状態に保持固定する扉施錠手段とを備えた補助ロック装置により、扉体を前方から閉鎖状態に拘束固定するようにしたものが従来から知られている（例えば、特許文献１参照。）。
【特許文献１】特開２００１−９８８１５号公報
【発明の開示】
【発明が解決しようとする課題】
【０００３】
しかしながら、上記従来の装置では、扉体と補助ロック装置の遮蔽体の間にバール等の工具が挿し込まれて、強引にこじ開けようとする力が加えられると、遮蔽体の回転方向とバールによって加えられる力の方向とが同一であることもあって、比較的簡単に遮蔽体が扉体の前面から取り除かれ、補助ロック装置による扉体の拘束保持が解除されてしまう。
【０００４】
本発明は、こうした問題を解消し、自動販売機の扉体を閉鎖状態に拘束保持する補助ロック装置のこじ開けや破壊を簡単な構成により防止でき、自動販売機の扉体の不法な開放や破壊をより確実に防止できるようにすることを目的とする。
【課題を解決するための手段】
【０００５】
本発明は、自動販売機本体に開閉可能に設けられた扉体を該扉体の閉鎖状態において前方から拘束保持する自動販売機の補助ロック装置であって、自動販売機本体に固定されるベース体と、該ベース体の一端に回転可能に取り付けられ、回転動作により閉鎖状態の扉体の前面に近接し該扉体を前方から拘束保持する所定位置に移動可能な遮蔽体と、該遮蔽体が前記所定位置に移動した状態で該遮蔽体の回転動作を錠止可能な施錠手段と、前記遮蔽体に設けられた係合部と、扉体の前面に設けられ、前記遮蔽体が前記所定位置に移動した状態で該遮蔽体の前記係合部を係合固定可能な被係合部を備えることを特徴とする自動販売機の補助ロック装置を提供する。
【０００６】
この補助ロック装置は、遮蔽体が回転動作により閉鎖状態の扉体の前面に近接し扉体を前方から拘束保持する所定位置に移動した状態で、遮蔽体に設けられた係合部を扉体に設けられた被係合部に係合固定するとともに、その状態で遮蔽体の回転動作を施錠手段により錠止固定することができ、これら係合部による固定と施錠手段による固定とで、遮蔽体を扉体の前面に近接した所定位置に強固に固定できる。そのため、補助ロック装置のこじ開けや破壊が困難となり、補助ロック装置による扉体の拘束保持が強固で、自動販売機の扉体の不法な開放や破壊をより確実に防止できる。そして、そのための補助ロック装置の構成は、施錠手段に加えて遮蔽体に係合部を設け、扉体の前面に被係合部を設けるという簡単なものでよく、構成簡単で、外観が損なわれることもない。
【０００７】
ここで、前記遮蔽体は、前記所定位置に移動した状態で、施錠により前記扉体を前記自動販売機本体に対し閉鎖状態に保持固定する扉施錠手段の鍵穴を覆い隠すよう構成するのがよい。
【０００８】
このように遮蔽体が扉施錠手段の鍵穴を覆い隠すことで、扉体の施錠を解除したり鍵を破壊するためには、補助ロック装置を破壊しなければならなくなって、扉体の不法な開放や破壊をより確実に阻止できる。
【０００９】
また、前記遮蔽体は、前記所定位置に移動した状態で該扉体の前面に沿って移動可能に設けられ、前記遮蔽体を前記所定位置に移動した状態で該扉体の前面に沿って移動させることにより、前記係合部が前記被係合部と係合し、前記遮蔽体と前記扉体とが係合固定されるよう構成するのがよい。
【００１０】
このように遮蔽体が扉体の前面に沿って移動することで遮蔽体と扉体とが係合固定されるよう構成することにより、遮蔽体を扉体の前面から取り除くためには遮蔽体を開放方向に回転させる動作とは別に係合部と被係合部の係合を解除する動作が必要となり、補助ロック装置のこじ開けや破壊が一層困難となり、自動販売機の扉体の不法な開放や破壊を一層確実に防止できる。
【発明の効果】
【００１１】
このように、本発明によれば、自動販売機の扉体を閉鎖状態に拘束保持する補助ロック装置のこじ開けや破壊を簡単な構成により防止することができ、自動販売機の扉体の不法な開放や破壊をより確実に防止できる。
【発明を実施するための最良の形態】
【００１２】
図１〜図３は本発明の実施形態の第１例を示す。図１は自動販売機の補助ロック装置の正面図、図２はＡ−Ａ断面図、図３は扉体開放時の補助ロック装置の動作説明図（Ａ）〜（Ｃ）である。
【００１３】
この実施形態（第１例）における自動販売機は、前面が開口している自動販売機本体１に、該自動販売機本体１の正面視にて左端前部の上下２箇所に設けられるヒンジ（図示せず）を介して水平方向（横方向）に開閉可能に扉体２が設けられている。そして、その扉体２には、施錠により扉体２を自動販売機本体１に対し閉鎖状態に保持固定する扉施錠手段３が設けられ、この扉施錠手段３の鍵穴４が、扉体２前面の右端側の上下方向中央付近に位置している。また、扉体２の前面には、正面視にて鍵穴４の左横近傍に、後述の補助ロック装置の係合部（係合爪１２）を係合固定可能な被係合部を構成するリング体５が固定されている。
【００１４】
そして、この自動販売機には、自動販売機本体１の前面に開閉可能に設けられた扉体２を扉体２の閉鎖状態において前方から拘束保持する手段として、自動販売機本体１に固定されるベース体６と、該ベース体６の一端に垂直方向に設けた回転軸８を介して回転可能に取り付けられ、回転動作により閉鎖状態の扉体２の前面に略当接する位置（扉体２の前面に近接し該扉体２を前方から拘束保持する所定位置）に移動可能な遮蔽体７と、遮蔽体７が閉鎖状態の扉体２の前面に略当接する位置に移動した状態で遮蔽体７の回転動作を錠止可能な施錠手段としての固定錠９と、遮蔽体７に設けられた係合部としての係合爪１２と、扉体２の前面の正面視にて鍵穴４の左横近傍に設けられ、遮蔽体７が閉鎖状態の扉体２の前面に略当接する位置に移動した状態で該遮蔽体７の係合爪１２を係合固定可能な被係合部としての上記リング体５とからなる補助ロック装置が設けられている。
【００１５】
ベース体６は、扉施錠手段３の鍵穴４とほぼ同じ高さに配置され、一端が扉体２の前面よりやや前方に突出した状態で、自動販売機本体１の右側面前部に自動販売機本体１の内側からボルト固定されている。そして、ベース体６の先端（上記突出した一端）と、遮蔽体７の右端とが、回転軸８を支軸として蝶番式に連結されている。すなわち、ベース体６の先端と遮蔽体７の右端が蝶番状に重なり合い、その重なり合うベース体６の先端と遮蔽体７の右端を垂直方向に回転軸８が貫き、その回転軸８がベース体６の先端に対して圧入状態で固定され、遮蔽体７を回転自在に支持することで、ベース体６に対し遮蔽体７が水平方向に回転可能となっている。
【００１６】
遮蔽体７は、閉鎖状態の扉体２の前面に略当接する位置まで回転移動した状態で、扉施錠手段３の鍵穴４を覆い隠すとともに、扉体２の前面に沿って左右に移動可能で、一側（正面視右側）へ移動させることにより、係合爪１２が扉体２側のリング体５と係合して、遮蔽体７と扉体２とが係合固定され、他側（正面視左側）へ移動させることにより、係合部１２がリング体５から外れ、遮蔽体７と扉体２との係合固定が解除されるよう構成されている。
【００１７】
すなわち、遮蔽体７は、閉鎖状態の扉体２の前面に略当接する位置に移動した状態で、扉施錠手段３の鍵穴４を覆い隠すよう、扉体２の前面に遮蔽体７が近接した際に扉施錠手段３の鍵穴４の部分を入り込ませるための空間を有するカバー部１１を備えている。
【００１８】
また、遮蔽体７の右端部には、回転軸８を嵌め込んで遮蔽体７を水平方向に回転自在に支持するよう、垂直方向に軸溝１０が設けられている。そして、その軸溝１０は、断面が左右に長い長穴状に形成され、この軸溝１０に沿って回転軸８を相対的にスライドさせることで、遮蔽体７は扉体２の前面に沿って左右へスライド移動させることが可能となっている。
【００１９】
上記係合爪１２は、遮蔽体７の左端部からカバー部１１の内側に、閉鎖状態の扉体２の前面に沿って右側へ突出し、遮蔽体７が閉鎖状態の扉体２の前面に略当接した状態で、遮蔽体７を回転軸８に対し右側へ移動させることにより、扉体２側のリング体５と係合し、左側へ移動させることにより、リング体５から外れるよう形成されている。
【００２０】
そして、ベース体６の突出した一端の下部に、上記固定錠９が設けられている。この固定錠９により、遮蔽体７が回転軸８に支持されて水平方向に回転し、閉鎖状態の扉体２の前面に略当接する位置に移動した状態で、遮蔽体７の回転動作を錠止し、扉体２を前方から閉鎖状態に拘束保持する状態に遮蔽体７を固定することができる。
【００２１】
また、上記固定錠９は、遮蔽体７の回転動作を錠止固定するとともに、遮蔽体７の左右スライド動作をも錠止固定できるようになっており、遮蔽体７は軸溝１０に沿って横方向へスライドし、遮蔽体７の係合爪１２が扉体２のリング体５と係合することで、扉体２の前面に近接した状態で係合固定され、扉体２が自動販売機本体１に対し閉鎖状態において前方から拘束保持される。
【００２２】
この実施形態の自動販売機は、使用時には、まず、扉体２を閉鎖し、扉施錠手段３によって扉体２を施錠する。そして、補助ロック装置の遮蔽体７を、左側へ移動させた状態で、水平方向へ扉体２に略当接するまで回転させ、扉施錠手段３の鍵穴４を遮蔽体７で覆う。そして、遮蔽体７を扉体２の前面に沿って右側へスライド移動させて、係合爪１２を扉体２のリング体５に係合させ、遮蔽体７と扉体２とを係合固定し、その状態で、ベース体６の先端下部に設けられている固定錠９に鍵を差し込んで施錠し、遮蔽体７の回転動作とスライド動作を共に施錠固定する。図３の（Ａ）は、こうして扉体２を閉鎖状態に拘束保持した状態を示している。
【００２３】
そして、扉体２を開放するときは、図３の（Ａ）に示す状態から、まず、ベース体６の先端下部に設けられている固定錠９に鍵を差し込んで解錠し、遮蔽体７が回転動作及びスライド動作を行えるようにする。そして、図３の（Ｂ）に示すように、遮蔽体７を扉体２の前面に沿って左側へスライドさせて、遮蔽体７の係合爪１２と扉体２のリング体５との係合固定を解除し、その後、図３の（Ｃ）にし示すように、遮蔽体７を手前へ引いて右方向へ回転させることにより、扉体２の前面から遮蔽体７を退避させる。そして、扉体２に設けられている扉施錠手段３の鍵穴４に鍵を差し込み、扉体２の施錠を解除し、扉体２を開放する。
【００２４】
尚、上記説明では、遮蔽体７の回転軸８周りの回転動作と軸溝１０に沿うスライド動作とを一つの固定錠９で錠止固定するようにしているが、それぞれの動作を別々の固定錠で錠止固定するようにしても良い。そうした場合、固定錠が一つ壊されても、補助ロック装置を扉体２の前面から取り除くことは出来ないため、扉体２のこじ開けや破壊をより確実に防止できる。
【００２５】
また、上記説明では、遮蔽体７側に係合爪１２を設け、扉体２側にリング体５を設けているが、扉体２側に係合爪１２を設け、遮蔽体７側にリング体５を設けるようにしても良い。
【００２６】
また、上記説明では、補助ロック装置のベース体６は自動販売機本体１の側面に固定しているが、補助ロック装置のベース体６は、遮蔽部７が、閉鎖状態の扉体２の前面に略当接する位置に移動可能となる位置であれば、自動販売機本体１の上面や底面に固定しても良い。
【００２７】
また、上記説明では、係合爪１２とリング体５を係合させるための遮蔽体７の動作が、左右スライド動作となっているが、この動作は、上下スライド動作としても良く、その場合には、例えば、遮蔽体７の右端部に遮蔽体７を上下スライド可能とする機構を設け、扉体２側のリング体５を９０度向きを変えて水平に設置し、係合爪１２をカバー部１１内の上部又は下部に設けて、遮蔽体７が上下方向にスライドすることで、係合爪１２とリング体５が係合する構成とする。
【００２８】
図４および図５は本発明の実施形態の第２例を示す。図４は自動販売機の補助ロック装置の正面図、図５はＡ−Ａ断面図である。
【００２９】
この実施形態（第２例）は、扉体２の前面に設ける被係合部を、略矩形形状に切抜いた係合穴１３とし、遮蔽体７１に設ける係合部を、返し１４の付いた係合爪１２１としたものである。
【００３０】
この場合、遮蔽体７１を水平方向に回転させて扉体２の前面に近接させた時に、遮蔽体７１が軸溝１０に沿って回転軸８に対し左右いずれに移動していても、係合爪１２１が自動的に係合穴１３に嵌まり込み、その後、遮蔽体７１を右に移動させることで（遮蔽体７１をバネにより右に付勢しても良い）、係合爪１２１の返し１４が係合穴１３の縁に引っかかり、遮蔽体７１の水平方向の回転動作が係止固定される。そして、その状態で、固定錠９で遮蔽体７１の回転動作とスライド動作を錠止固定することにより、遮蔽体７１を、扉体２の前面に近接して扉体２を前方から閉鎖状態に拘束保持する状態に固定することができる。
【００３１】
また、遮蔽体７１の固定を解除するときは、固定錠９の施錠を解除し、その後、遮蔽体７１をスライドさせて、係合爪１２１の返し１４を係合穴１３の縁から退避させて、係合を解除し、遮蔽体７１を水平方向に回転させて、扉体２の前面に近接した位置から退避させる。
【００３２】
その他の構成および作用は上記実施形態の第１例と同様である。図４および図５において、上記実施形態の第１例と共通する部分には同じ符号を付している。
【００３３】
図６および図７は本発明の実施形態の第３例を示す。図６は自動販売機の補助ロック装置の正面図、図７はＡ−Ａ断面図である。
【００３４】
この実施形態（第３例）は、遮蔽体７２の上端部（下端部または側端部であっても良い）にカバー部回転軸１５を設け、カバー部１１１のみを独立して上下方向（遮蔽体７２の側端部にカバー部回転軸１５を設けた場合は水平方向）へ回転可能にしたものである。扉体２の前面に設ける被係合部は、略矩形形状に切抜いた係合穴１３とし、遮蔽体７２に設ける係合部を、返し１４の付いた係合爪１２１としている。
【００３５】
この場合、遮蔽体７２を水平方向に回転させて扉体２の前面に近接させた後、遮蔽体に設けられているカバー部回転軸１５に支持されたカバー部１１１を上下方向に回転させ、カバー部１１１を扉体２の前面に近接させことにより、カバー部１１１に設けられている係合爪１２１が、扉体２に設けられている係合穴１３に嵌まり込み、その後、遮蔽体７２を右に移動させることで（遮蔽体７２をバネにより右に付勢しても良い）、係合爪１２１の返し１４が係合穴１３の縁に引っかかり、遮蔽体７２の水平方向の回転動作およびカバー部１１１の上下方向の回転動作が係止固定される。そして、その状態で、固定錠９で遮蔽体７２の回転動作とスライド動作を錠止固定することにより、遮蔽体７２を、扉体２の前面に近接して扉体２を前方から閉鎖状態に拘束保持する状態に固定することができる。
【００３６】
また、遮蔽体７２の固定を解除するときは、固定錠９の施錠を解除し、その後、遮蔽体７２をスライドさせて、係合爪１２１の返し１４を係合穴１３の縁から退避させて係合を解除し、カバー部１１１を上下方向に回転させて扉体２の前面に近接した位置から退避させ、さらに、遮蔽体７２を水平方向に回転させて、扉体２の前面に近接した位置から退避させる。
【００３７】
その他の構成および作用は上記実施形態の第１例と同様である。図６および図７において、上記実施形態の第１例と共通する部分には同じ符号を付している。
【００３８】
図８および図９は本発明の実施形態の第４例を示す。図８は自動販売機の補助ロック装置の正面図、図９はＡ−Ａ断面図である。
【００３９】
この実施形態（第４例）は、ベース体６１の先端に水平方向前方へ突出するよう回転軸８１を設け、遮蔽体７３の右端部内面側に、水平方向（扉体２を拘束保持した状態で水平となる方向）に長孔状の軸溝１０１を設け、遮蔽体７３を閉鎖状態の扉体２の前面に沿って、ベース体６１と直交する面内で、扉体２の前面に近接する位置と、扉体２の前面から外れて扉体２の開放を妨げない退避位置との間を垂直方向に回転自在とし、且つ、遮蔽体７３が扉体２の前面に近接し、カバー部１１が鍵穴４を覆い隠す位置まで回転した状態で、扉体２の前面に沿って一側（正面視右側）へスライド移動させることにより、係合爪１２が扉体２側のリング体５と係合して、遮蔽体７３と扉体２とが係合固定され、他側（正面視左側）へスライド移動させることにより、係合部１２がリング体５から外れ、遮蔽体７３と扉体２との係合固定が解除されるよう構成している。
【００４０】
この場合、遮蔽体７３を扉体２の前面に沿って垂直方向に回転させ、カバー部１１が鍵穴４を覆い隠す位置で右方向へ移動させることにより、係合爪１２がリング体５に係合し、遮蔽体７３の垂直方向の回転動作が係止固定される。そして、その状態で、固定錠９で遮蔽体７３の回転動作およびスライド動作を錠止固定することにより、遮蔽体７３を、扉体２の前面に近接して扉体２を前方から閉鎖状態に拘束保持する状態に固定することができる。
【００４１】
また、遮蔽体７３の固定を解除する時は、固定錠９の施錠を解除し、その後、遮蔽体７３をスライドさせて、係合爪１２をリング体５から退避させて係合を解除し、遮蔽体７３を扉体２の前面に沿って垂直方向へ回転させ、扉体２の前面から外れて扉体２の開放を妨げない退避位置に退避させる。
【００４２】
その他の構成および作用は上記実施形態の第１例と同様である。図８および図９において、上記実施形態の第１例と共通する部分には同じ符号を付している。
【図面の簡単な説明】
【００４３】
【図１】本発明の実施形態の第１例を示す自動販売機の補助ロック装置の正面図である。
【図２】図１のＡ−Ａ断面図である。
【図３】本発明の実施形態の第１例における扉体開放時の補助ロック装置の動作を図２と同じ断面にて示す動作説明図（Ａ）〜（Ｃ）である。
【図４】本発明の実施形態の第２例を示す自動販売機の補助ロック装置の正面図である。
【図５】図４のＡ−Ａ断面図である。
【図６】本発明の実施形態の第３例を示す自動販売機の補助ロック装置の正面図である。
【図７】図６のＡ−Ａ断面図である。
【図８】本発明の実施形態の第４例を示す自動販売機の補助ロック装置の正面図である。
【図９】図８のＡ−Ａ断面図である。
【符号の説明】
【００４４】
１  自動販売機本体
２  扉体
３  扉施錠手段
４  鍵穴
５  リング体
６、６１  ベース体
７、７１、７２、７３  遮蔽体
８、８１  回転軸
９  固定錠
１０、１０１  軸溝
１１、１１１  カバー部
１２、１２１  係合爪
１３  係合穴
１４  返し
１５  カバー部回転軸
【図１】
2005256358.tif 000003
【図２】
2005256358.tif 000004
【図３】
2005256358.tif 000005
【図４】
2005256358.tif 000006
【図５】
2005256358.tif 000007
【図６】
2005256358.tif 000008
【図７】
2005256358.tif 000009
【図８】
2005256358.tif 000010
【図９】
2005256358.tif 000011